(57)【特許請求の範囲】
【請求項１】
保冷物品を航空輸送する方法において、
保冷物品を段ボール箱からなる梱包箱に収納し、
断熱材が敷かれたパレットの上面に、前記保冷物品が収納された梱包箱が複数段に積み上げられ且つ最上段の梱包箱の上に冷気排出手段を載せてなる梱包箱ブロックを構成し、
前記パレット上に設けられた梱包箱ブロックの周側面と上面にシート状の断熱材と気泡緩衝材を巻き付け、これら断熱材と気泡緩衝材と前記パレット上面に敷かれた緩衝材とでパレット上における梱包箱ブロックの積載空間を密閉し、
前記緩衝材及び気泡緩衝材の外側から、包装紐を前記梱包箱ブロックの周囲とパッレットに巻き付けて梱包箱ブロックをパレット上に固定して輸送装置を構成した後、
パレットごと前記輸送装置を配送目的地まで輸送することを特徴とする保冷物品の航空輸送方法。
【請求項２】
梱包箱ブロックの最下段又は／及び中段に冷気排出手段が配置されてなる請求項１に記載の保冷物品の航空輸送方法。
【請求項３】
冷気排出手段は、周面に複数の通気孔が形成された段ボール箱内に保冷材を収納して構成されてなる請求項１又は２に記載の保冷物品の航空輸送方法。
【請求項４】
水が充填されたペットボトルであって充填された水を凍らせたペットボトルを保冷材として用いてなる請求項３に記載の保冷物品の航空輸送方法。
【請求項５】
梱包箱ブロックの四隅角部に沿って、緩衝材及び気泡緩衝材の外側から緩衝材が取り付けられてなる請求項１〜４の何れかに記載の保冷物品の航空輸送方法。
【請求項６】
保冷物品の航空輸送に用いられる輸送装置の構成方法であって、
断熱材が敷かれたパレットの上面に、保冷物品が収納された段ボール箱からなる梱包箱を複数段に積み上げるとともに最上段の梱包箱の上に、周面に複数の通気孔が形成された段ボール箱内に水が充填されたペットボトルであって充填された水を凍らせたペットボトルを収納して構成された冷気排出手段を載せて梱包箱ブロックを形成し、
この梱包箱ブロックの周側面と上面にシート状の断熱材と気泡緩衝材を巻き付け、これら断熱材と気泡緩衝材と前記パレット上面に敷かれた緩衝材とでパレット上における梱包箱ブロックの積載空間を密閉し、
前記梱包箱ブロックの四隅角部に沿って、緩衝材及び気泡緩衝材の外側から緩衝材を取り付けた後、包装紐を前記梱包箱ブロックの周囲とパッレットに巻き付けて梱包箱ブロックをパレット上に固定して輸送装置を構成することを特徴とする輸送装置の構成方法。
【発明の詳細な説明】
【技術分野】
【０００１】
本発明は、青果や鮮魚、精肉などの生鮮食品や加工食品、草花、その他の低温下で保管が必要な物品を、鮮度を保持して航空輸送するための方法に関する。
【背景技術】
【０００２】
野菜や果物などの鮮度維持のために所定の温度下で保管することが必要な保冷物品を離島や外国に航空輸送する場合、航空機に温度調節可能な貨物室が装備されているときはそれを利用したり、温度調節可能な貨物室が装備されていないときは、航空会社が保有する専用のクールコンテナ、例えば周囲が断熱パネルで囲われ、ドライアイスなどの保冷材とともに保冷物品を収納して保冷輸送に供するクールコンテナを利用したりしている（例えば特許文献１参照）。
【０００３】
また、保冷物品である輸送対象物の制約を少なくして長時間に亘り低温に保持できるようにすることを企図して構成された低温輸送梱包装置として、図６に示されるように、パレット１００上に断熱包装容器１０１を載せ、その断熱包装容器１０１内の上下両面及び四周側面を断熱材１０２とスペーサ１０３を並べて囲い、その囲われた内部空間に輸送対象物１０４を収納し、輸送対象物１０４の上部には保冷材１０５を設置して構成のものが知られている（例えば特許文献２参照）。
【先行技術文献】
【特許文献】
【０００４】
【特許文献１】特開２０１３−２４９１２５号公報
【特許文献２】特開２００５−２７１９４９号公報
【発明の概要】
【発明が解決しようとする課題】
【０００５】
航空輸送は、短時間で目的地に輸送することが可能であるものの、トラック輸送や船舶輸送と比べて運送費が高額なため、保冷物品を航空輸送するにあたっては、輸送中の保冷物品の品質の低下を防ぐことは勿論、保冷輸送の利用の形態を見直して、輸送コストの削減を図ることが肝要である。
【０００６】
前述の温度調節可能な貨物室を装備した航空機は極めて少なく、仮に利用できたとしても割高な運送費に加えて貨物室の使用料がかかってしまい、保冷物品の輸送コストが極めて高くなってしまう。
【０００７】
専用のクールコンテナを用いた場合も、保冷物品を適正な温度に維持して輸送することが可能であるものの、クールコンテナの使用料がかかるため、輸送コストが高くなることは避けられない。一台のクールコンテナに収納可能な荷物の重量はそれほど大きくないため、大量の保冷物品を空輸するときには複数のクールコンテナを使用する必要があり、輸送コストを削減することは困難である。
【０００８】
また、前記図示した低温輸送梱包装置は、輸送対象物１０４の上下及び四方に断熱材１０２とスペーサ１０３が並設されるため、パレット１００上への輸送対象物１０４の積載効率が悪く、また、断熱包装容器１０１や断熱材１０２、スペーサ１０３などの使用する包装資材が多数に及ぶため包装資材費が嵩んでしまうという問題がある。
輸送コストを削減するには、輸送する物品をコンテナなどに集約して多数積載できるようにするとともに、物品の荷痛みが発生しない範囲で包装資材にかかるコストの低廉化を実現する必要がある。
【０００９】
本発明は従来の技術の有するこのような問題点に鑑み、野菜や果物などの保管に温度管理が必要な物品を航空輸送する場合に、鮮度を保持したまま輸送目的地まで安全に且つ低廉なコストで輸送することができるようにすることを課題とする。
【課題を解決するための手段】
【００１０】
前記課題を解決するため本発明は、保冷物品を航空輸送する方法において、
保冷物品を段ボール箱からなる梱包箱に収納し、
断熱材が敷かれたパレットの上面に、前記保冷物品が収納された梱包箱が複数段に積み上げられ且つ最上段の梱包箱の上に冷気排出手段を載せてなる梱包箱ブロックを構成し、
前記パレット上に設けられた梱包箱ブロックの周側面と上面にシート状の断熱材と気泡緩衝材を巻き付け、これら断熱材と気泡緩衝材と前記パレット上面に敷かれた緩衝材とでパレット上における梱包箱ブロックの積載空間を密閉し、
前記緩衝材及び気泡緩衝材の外側から、包装紐を前記梱包箱ブロックの周囲とパッレットに巻き付けて梱包箱ブロックをパレット上に固定して輸送装置を構成した後、
パレットごと前記輸送装置を配送目的地まで輸送することを特徴とする。
【００１１】
前記構成の保冷物品の輸送方法において、梱包箱ブロックの最下段又は／及び中段に冷気排出手段が配置されていてもよい。
また、冷気排出手段は、周面に複数の通気孔が形成された段ボール箱内に保冷材を収納した構成のものを用いることができ、この場合、保冷材としては、水が充填されたペットボトルであって充填された水を凍らせたペットボトルを用いることが好ましい。
さらに、輸送中に受ける衝撃を緩和するため、梱包箱ブロックの四隅角部に沿って、緩衝材及び気泡緩衝材の外側から緩衝材が取り付けられていることが好ましい。
【００１２】
また、本発明の保冷物品の輸送装置は、
断熱材が敷かれたパレットの上面に、保冷物品が収納された段ボール箱からなる梱包箱を複数段に積み上げるとともに最上段の梱包箱の上に、周面に複数の通気孔が形成された段ボール箱内に水が充填されたペットボトルであって充填された水を凍らせたペットボトルを収納して構成された冷気排出手段を載せて梱包箱ブロックを形成し、
この梱包箱ブロックの周側面と上面にシート状の断熱材と気泡緩衝材を巻き付け、これら断熱材と気泡緩衝材と前記パレット上面に敷かれた緩衝材とでパレット上における梱包箱ブロックの積載空間を密閉し、
前記梱包箱ブロックの四隅角部に沿って、緩衝材及び気泡緩衝材の外側から緩衝材を取り付けた後、包装紐を前記梱包箱ブロックの周囲とパッレットに巻き付けて梱包箱ブロックをパレット上に固定する方法により構成されることを特徴とする。
【００１３】
これによれば、航空輸送する場合は航空機の常温の貨物室にパレットごと運び入れて、配送目的地まで輸送することが可能である。梱包箱ブロックの積載空間が断熱材で密閉されているとともに、最上段に積まれた冷気排出手段から冷気が排出され、その冷気が下方に積まれた梱包箱に流通して外部に漏れないので、輸送中、梱包箱ブロック全体が低温に保持され、各梱包箱に収納された保冷物品の鮮度を維持することができる。
また、クールコンテナなどの専用の包装機器や資材は不要であり、汎用の包装資材を用いて、保冷輸送に関わるコストの低廉化が実現可能である。
【図面の簡単な説明】
【００１４】
【図１】本発明の保冷物品の輸送装置の一実施形態の外観図である。
【図２】図１の輸送装置の横断面図である。
【図３】（Ａ）は冷気排出手段の外観図、（Ｂ）は冷気排出手段を構成する段ボール箱の外観図である。
【図４】パレット上に梱包箱ブロックを構成した状態の外観図である。
【図５】図４の梱包箱ブロックを断熱材で覆った状態の外観図である。
【図６】従来の一例の保冷物品の輸送装置の断面図である。
【発明を実施するための形態】
【００１５】
本発明の好適な一実施形態を、図面を参照して説明する。
図１は本発明の一実施形態における保冷物品の輸送装置の外観を示しており、この輸送装置１は、シート状の断熱材２が敷かれたプラスチック製のパレット３上に、輸送に際して鮮度の維持が必要な青果などの保冷物品（図示せず）が収納された梱包箱５を複数段に積み上げるとともに最上段の梱包箱５上に冷気排出手段６を載せて梱包箱ブロック４を構成し、この梱包箱ブロック４をシート状の断熱材７とエアパッキンである気泡緩衝材８で覆って、パレット３上の梱包箱ブロック４の積載空間を密閉した後、包装紐９を梱包箱ブロック４の周囲とパッレット３に巻き付けて梱包箱ブロック４をパレット３上に固定して、パレット３ごと保冷物品が収納された梱包箱ブロック４を配送目的地まで輸送することができるように構成されたものである。図中、符番１０は角部を保護する緩衝材である角当て材である。
【００１６】
詳しくは、保冷物品を収納する梱包箱５は、適宜な大きさの段ボール箱が用いられ、パレット３上に高さを揃えて複数段積み上げることができるように同一寸法に形成された段ボール箱を用いることが好ましい。
梱包箱５内に保冷物品とともにクッションなどの緩衝材や蓄冷材を収納してもよく、また、冷気排出手段６から排出される冷気が流通し易いように、梱包箱５にその表裏を貫通する適宜な大きさの通孔が形成されていてもよい。
【００１７】
冷気排出手段６は、図３に示されるように、周面に複数の通気孔６１ａが形成された段ボール箱６１内に、保冷材として水が充填された適宜な容量のペットボトルであって充填された水を凍らせたペットボトル６２を複数個収納し、ペットボトル６２の表面の冷気が通気孔６１ａから外部に排出されるように構成してある。
輸送の際に必要とされる設定温度に応じて、水を凍らせたペットボトル６２に代えて、ドライアイスなどの他の保冷材を用いてもよい。
【００１８】
航空輸送で保冷物品を輸送する際、以下のようにして本形態の輸送装置１を構成して、輸送目的地への配送に供することができる。
【００１９】
先ず、保冷物品を梱包箱５に収納して保冷物品が収納された複数の梱包箱５群を準備し、併せて段ボール箱６１に水を凍らせたペットボトル６２を収納した冷気排出手段６を複数個用意する。
【００２０】
次に、図４に示されるように、断熱材２が敷かれたパレット３の上面に、保冷物品が収納された梱包箱５を複数段に積み上げる。パレット３上への積み上げは、パレット３の周辺に沿って垂直に梱包箱５が積み上がるように調整する。そして、最上段の梱包箱５の上に冷気排出手段６を複数個載せて、パレット３上に直方体形の梱包箱ブロック４を形成する。
【００２１】
そして、パレット３上に設けられた梱包箱ブロック４の周側面と上面に断熱材７を巻き付け、さらにその外側に気泡緩衝材８を巻き付ける。
この際、パレット２の上面に敷かれた断熱材２と梱包箱ブロック４の表面を覆う断熱材７及び気泡緩衝材８の継ぎ合せ部分は、隙間ができないように重ねて合せ、粘着テープを重ね合わせた部分に沿って貼り付けるなどして重ね合わせ部をシールし、パレット３上における梱包箱ブロック４の積載空間を密閉する。
【００２２】
梱包箱ブロック４の表面が断熱材２、断熱材７及び気泡緩衝材８で覆われたならば、外側から梱包箱ブロック４の四周側面の四隅角部と、四周側面と上面との角に沿って角当て材１０を各々取り付け、その後、包装紐９を梱包箱ブロック４の周囲とパッレット３に巻き付けて梱包箱ブロック４をパレット３上に固定することにより輸送装置１が構成される。
【００２３】
このように構成された輸送装置１は、梱包箱ブロック４の積載空間が断熱材２と断熱材８で密閉されており、最上段に積まれた冷気排出手段６から排出される冷気が下方に積まれた梱包箱５に流通するので、梱包箱ブロック４全体を低温に保持することができ、航空輸送する場合は航空機の常温の貨物室にパレット３ごと運び入れて、配送目的地まで輸送することが可能である。
また、梱包箱ブロック４は、その表面が気泡緩衝材８で覆われ、周辺角部には角当て材１０を各々取り付けて保護されているので、輸送の際に衝撃を受けても荷痛みが発生し難く、各梱包箱５に収納された保冷物品を、鮮度を落とさずに安全に輸送することが可能である。
【００２４】
なお、梱包箱ブロック４の最上段に積まれる冷気排出手段６に加えて、梱包箱ブロック４の中段や最下段にも冷気排出手段６を配置するようにしてもよい。また、本発明は、保冷物品をトラックで輸送する際の輸送装置としても適用可能である。図示した輸送装置１や冷気排出手段６の構成は一例であり、本発明は他の適宜な形態で構成することが可能である。
【符号の説明】
【００２５】
１  輸送装置、２  断熱材、３  コンテナ、４  梱包箱ブロック、５  梱包箱、６  冷気排出手段、６１  段ボール箱、６２  ペットボトル、７  断熱材、８  気泡緩衝材、９  包装紐、１０  角当て材
【要約】
【課題】青果などの保管に温度管理が必要な物品を航空輸送する場合に、鮮度を保持したまま輸送目的地まで安全に且つ低廉なコストで輸送することができるようにする。
【解決手段】断熱材２が敷かれたパレット３の上面に、保冷物品が収納された梱包箱５を複数段に積み上げ、最上段の梱包箱５の上に冷気排出手段６を載せてなる梱包箱ブロック４を形成し、梱包箱ブロック４の表面を断熱材７と気泡緩衝材８で覆うとともに梱包箱ブロック４の四隅角部に沿って角当て材１０を取り付け、包装紐９をパッレット３に巻き付けて輸送装置１を構成する。
【選択図】図２【図１】
0005909018.tif 000002
【図２】
0005909018.tif 000003
【図３】
0005909018.tif 000004
【図４】
0005909018.tif 000005
【図５】
0005909018.tif 000006
【図６】
0005909018.tif 000007